(57)【特許請求の範囲】
【請求項１】
撮像手段と、
前記撮像手段による撮影方向を検出する方向検出手段と、
ライブビュー表示中におけるプリショット撮影の指示操作に応じて前記撮像手段によりプリショット画像を撮影するとともに、このプリショット画像を撮影したときに前記方向検出手段により検出される撮影方向を記憶するプリショット撮影手段と、
前記プリショット撮影手段によりプリショット画像が撮影された後にライブビュー表示を停止して当該プリショット画像を表示し、この表示したプリショット画像上で被写体の位置を指定する被写体指定手段と、
前記被写体指定手段により指定された被写体の位置と、前記プリショット撮影手段により記憶された前記プリショット画像を撮影したときの撮影方向とに基づいて、前記被写体がある被写体方向を特定する被写体方向特定手段と、
前記被写体方向特定手段により特定された前記被写体方向と、前記撮像手段により本画像を撮影するときに前記方向検出手段により検出される撮影方向とに基づいて、この本画像の撮影を制御する撮影制御手段と
を備えることを特徴とする撮像装置。
【請求項２】
前記被写体方向特定手段は、
前記被写体指定手段により被写体の位置が指定されると、前記プリショット画像の中心から指定された被写体までのズレ量と、当該プリショット画像を撮影したときの撮影方向とに基づいて、前記指定された被写体がある被写体方向を特定する
ことを特徴とする請求項１に記載の撮像装置。
【請求項３】
前記プリショット撮影手段は、
前記撮影すべき被写体が前記プリショット画像内に捉えられるまで、前記プリショット画像の撮り直しを可能にした
ことを特徴とする請求項１に記載の撮像装置。
【請求項４】
前記被写体方向特定手段は、
前記撮像手段により撮影されたプリショット画像上で撮影すべき被写体が指定されると、前記プリショット画像の中心から前記指定された撮影すべき被写体までのズレ量を、前記撮像手段によりプリショット画像を撮影したときのズーム倍率に基づいて、撮影方向のずれ量に変換し、前記撮像手段によりプリショット画像を撮影したときの撮影方向と前記撮影方向のずれ量とに基づいて、前記撮影すべき被写体がある被写体方向を特定する
ことを特徴とする請求項１乃至３のいずれかに記載の撮像装置。
【請求項５】
前記撮影制御手段は、
前記被写体方向特定手段により特定された前記撮影すべき被写体がある被写体方向と、前記方向検出手段により検出される撮影方向とに基づいて、前記撮像手段により連写撮影された複数の本画像に対する撮影処理を制御する
ことを特徴とする請求項１乃至４のいずれかに記載の撮像装置。
【請求項６】
前記撮影制御手段は、
前記被写体方向特定手段により特定された前記撮影すべき被写体がある被写体方向と、前記方向検出手段により検出された、前記撮像手段により本画像を撮影したときの撮影方向とのずれ量が所定範囲内にあるか否かに基づいて、前記撮像手段により連写撮影された複数の本画像を利用するか否かを決定する
ことを特徴とする請求項１乃至４のいずれかに記載の撮像装置。
【請求項７】
前記撮影制御手段は、
前記被写体方向特定手段により特定された前記撮影すべき被写体がある被写体方向と、前記方向検出手段により検出された、前記撮像手段により本画像を撮影したときの撮影方向とのずれ量が所定範囲内にあるか否かに基づいて、前記撮像手段により連写撮影された複数の本画像を記録するか否かを決定する
ことを特徴とする請求項１乃至４のいずれかに記載の撮像装置。
【請求項８】
前記撮影制御手段は、
前記被写体方向特定手段により特定された前記撮影すべき被写体がある被写体方向と、前記方向検出手段により検出された、前記撮像手段により本画像を撮影したときの撮影方向とのずれ量が所定範囲内にあるか否かに基づいて、前記撮像手段により連写撮影された複数の本画像を合成に用いるか否かを決定する
ことを特徴とする請求項１乃至４のいずれかに記載の撮像装置。
【請求項９】
撮像部による撮影方向を検出するステップと、
ライブビュー表示中におけるプリショット撮影の指示操作に応じて前記撮像部によりプリショット画像を撮影するステップと、
前記プリショット画像を撮影したときの撮影方向を記憶するステップと、
前記プリショット画像が撮影された後にライブビュー表示を停止して当該プリショット画像を表示し、この表示したプリショット画像上で被写体の位置を指定するステップと、
前記プリショット画像上における前記指定された被写体の位置と、前記記憶された前記プリショット画像を撮影したときの撮影方向とに基づいて、前記指定された被写体がある被写体方向を特定するステップと、
前記特定された前記被写体方向と、前記撮像部により本画像を撮影するときの撮影方向とに基づいて、この本画像の撮影を制御するステップと
を含むことを特徴とする撮像方法。
【請求項１０】
撮像部を備える撮像装置のコンピュータに、
前記撮像部による撮影方向を検出する方向検出機能、
ライブビュー表示中におけるプリショット撮影の指示操作に応じて前記撮像部によりプリショット画像を撮影するとともに、このプリショット画像を撮影したときに前記方向検出機能により検出される撮影方向を記憶するプリショット撮影機能、
前記プリショット撮影機能によりプリショット画像が撮影された後にライブビュー表示を停止して当該プリショット画像を表示し、この表示したプリショット画像上で被写体の位置を指定する被写体指定機能、
前記被写体指定機能により指定された被写体の位置と、前記プリショット撮影機能により記憶された前記プリショット画像を撮影したときの撮影方向とに基づいて、前記指定された被写体がある被写体方向を特定する被写体方向特定機能、
前記被写体方向特定機能により特定された前記被写体方向と、前記撮像部により本画像を撮影するときに前記方向検出機能により検出される撮影方向とに基づいて、この本画像の撮影を制御する撮影制御機能
を実行させることを特徴とするプログラム。
【発明の詳細な説明】
【技術分野】
【０００１】
本発明は、撮像装置、撮像方法、及びプログラムに関する。
【背景技術】
【０００２】
近年、超解像モードなどを含め高倍率ズームは、デジタルカメラの重要なスペックの一つになっている。ところで、高倍率ズーム時に手持ちで撮影しようとすると、少しの手ブレでもスルー映像が大きくずれてしまい、狙った画角で撮影することが難しい。
【０００３】
そこで、例えば、ブレの少ない画像を得るために、振動検出センサにより検出した振動に基づいて、振動を打ち消すように、撮像素子を移動させることで、カメラブレにより生じる画像ブレを防止する技術が提案されている（例えば特許文献１参照）。
【０００４】
また、複数の撮像部を備えた撮像装置において、複数の撮像部を同時駆動して、それぞれに所定枚数分の連続した画像を撮影し、これらの画像を重ね合わせて１枚の合成画像を作成することで、手振れやノイズを抑えた画像を作成する技術が提案されている（例えば特許文献２参照）。
【先行技術文献】
【特許文献】
【０００５】
【特許文献１】特開２００７−１８４７８７号公報
【特許文献２】特開２００７−２０８７０４号公報
【発明の概要】
【発明が解決しようとする課題】
【０００６】
しかしながら、上記従来技術では、手振れ等を軽減することはできるものの、被写体と背景との位置関係である構図を所望する構図とすることはできないという問題があった。
【０００７】
そこで本発明は、所望する構図で撮影することができる撮像装置、撮像方法、及びプログラムを提供することを目的とする。
【課題を解決するための手段】
【０００８】
この発明は、撮像手段と、前記撮像手段による撮影方向を検出する方向検出手段と、ライブビュー表示中におけるプリショット撮影の指示操作に応じて前記撮像手段によりプリショット画像を撮影するとともに、このプリショット画像を撮影したときに前記方向検出手段により検出される撮影方向を記憶するプリショット撮影手段と、前記プリショット撮影手段によりプリショット画像が撮影された後にライブビュー表示を停止して当該プリショット画像を表示し、この表示したプリショット画像上で被写体の位置を指定する被写体指定手段と、前記被写体指定手段により指定された被写体の位置と、前記プリショット撮影手段により記憶された前記プリショット画像を撮影したときの撮影方向とに基づいて、前記指定された被写体がある被写体方向を特定する被写体方向特定手段と、前記被写体方向特定手段により特定された前記被写体方向と、前記撮像手段により本画像を撮影するときに前記方向検出手段により検出される撮影方向とに基づいて、この本画像の撮影を制御する撮影制御手段とを備えることを特徴とする
撮像装置である。
【０００９】
この発明は、撮像部による撮影方向を検出するステップと、ライブビュー表示中におけるプリショット撮影の指示操作に応じて前記撮像部によりプリショット画像を撮影するステップと、前記プリショット画像を撮影したときの撮影方向を記憶するステップと、前記プリショット画像が撮影された後にライブビュー表示を停止して当該プリショット画像を表示し、この表示したプリショット画像上で被写体の位置を指定するステップと、前記プリショット画像上における前記指定された被写体の位置と、前記記憶された前記プリショット画像を撮影したときの撮影方向とに基づいて、前記指定された被写体がある被写体方向を特定するステップと、前記特定された前記被写体方向と、前記撮像部により本画像を撮影するときの撮影方向とに基づいて、この本画像の撮影を制御するステップとを含むことを特徴とする撮像方法である。
【００１０】
この発明は、撮像部を備える撮像装置のコンピュータに、前記撮像部による撮影方向を検出する方向検出機能、ライブビュー表示中におけるプリショット撮影の指示操作に応じて前記撮像部によりプリショット画像を撮影するとともに、このプリショット画像を撮影したときに前記方向検出機能により検出される撮影方向を記憶するプリショット撮影機能、前記プリショット撮影機能によりプリショット画像が撮影された後にライブビュー表示を停止して当該プリショット画像を表示し、この表示したプリショット画像上で被写体の位置を指定する被写体指定機能、前記被写体指定機能により指定された被写体の位置と、前記プリショット撮影機能により記憶された前記プリショット画像を撮影したときの撮影方向とに基づいて、前記指定された被写体がある被写体方向を特定する被写体方向特定機能、前記被写体方向特定機能により特定された前記被写体方向と、前記撮像部により本画像を撮影するときに前記方向検出機能により検出される撮影方向とに基づいて、この本画像の撮影を制御する撮影制御機能を実行させることを特徴とするプログラムである。
【発明の効果】
【００１１】
この発明によれば、所望する構図で撮影することができるという利点が得られる。
【図面の簡単な説明】
【００１２】
【図１】本発明の実施形態によるデジタルカメラ１の構成を示すブロック図である。
【図２】本実施形態によるデジタルカメラ１の動作を説明するためのフローチャートである。
【図３】本実施形態によるデジタルカメラ１の動作を説明するためのフローチャートである。
【図４】本実施形態によるデジタルカメラ１の動作（マーキング動作）を説明するための概念図である。
【図５】本実施形態によるデジタルカメラ１の動作（連写動作）を説明するための概念図である。
【図６】本実施形態によるデジタルカメラ１の動作（抽出動作）を説明するための概念図である。
【図７】本実施形態によるデジタルカメラ１の動作（合成＆トリミング動作）を説明するための概念図である。
【発明を実施するための形態】
【００１３】
以下、本発明の実施の形態を、図面を参照して説明する。
【００１４】
Ａ．実施形態の構成
図１は、本発明の実施形態によるデジタルカメラ１の構成を示すブロック図である。図において、デジタルカメラ１は、撮像レンズ２、レンズ駆動部３、絞り兼用シャッター４、ＣＣＤ５、ＴＧ（Timing Generator）６、ユニット回路７、画像処理部８、ＣＰＵ１１、ＤＲＡＭ１２、メモリ１３、フラッシュメモリ１４、画像表示部１５、キー入力部１６、カードＩ／Ｆ１７、及びメモリ・カード１８を備えている。
【００１５】
撮像レンズ２は、フォーカスレンズ、ズームレンズなどを含み、レンズ駆動部３が接続されている。レンズ駆動部３は、撮像レンズ２を構成するフォーカスレンズ、ズームレンズをそれぞれ光軸方向に駆動させるモータと、ＣＰＵ１１からの制御信号に従ってフォーカスモータ、ズームモータを駆動させるフォーカスモータドライバ、ズームモータドライバから構成されている。
【００１６】
絞り４は、図示しない駆動回路を含み、駆動回路はＣＰＵ１１から送られてくる制御信号に従って絞り４を動作させる。該絞り４は、撮像レンズ２から入ってくる光の量を制御する。ＣＣＤ（撮像素子）５は、撮像レンズ２、絞り４を介して投影された被写体の光を電気信号に変換し、撮像信号としてユニット回路７に出力する。また、ＣＣＤ５は、ＴＧ６によって生成された所定周波数のタイミング信号に従って駆動される。
【００１７】
ユニット回路（ＣＤＳ／ＡＧＣ／ＡＤ）７は、ＣＣＤ５から出力される撮像信号を相関二重サンプリングして保持するＣＤＳ（Correlated
Double Sampling）回路、そのサンプリング後の撮像信号の自動利得調整を行うＡＧＣ（Automatic
Gain Control）回路、その自動利得調整後のアナログの撮像信号をデジタル信号に変換するＡ／Ｄ変換器から構成されている。ＣＣＤ５の撮像信号は、ユニット回路７を経てデジタル信号として画像処理部８に送られる。なお、ユニット回路７は、ＴＧ６によって生成された所定周波数のタイミング信号に従って駆動される。
【００１８】
画像処理部８は、ユニット回路７から送られてきた画像データの画像処理（画素補間処理、γ補正、輝度色差信号の生成、ホワイトバランス処理、露出補正処理、合成処理等）、画像データの圧縮・伸張（例えば、ＪＰＥＧ形式やＭ−ＪＰＥＧ形式又はＭＰＥＧ形式の圧縮・伸張）の処理、撮影画像を合成する処理などを行う。なお、画像処理部８は、ＴＧ６によって生成された所定周波数のタイミング信号に従って駆動される。
【００１９】
ＣＰＵ１１は、デジタルカメラ１の各部を制御するワンチップマイコンである。特に、本実施形態では、ＣＰＵ１１は、ズーム倍率が所定以上で、かつ被写体方向指定モードが選択されている場合に、シャッター半押し時に仮撮影であるプリショット撮影、プリショット画像での主要な被写体の指定、シャッター全押し時の本撮影の連写、本撮影時の撮影方向と指定された被写体方向とのずれ量に基づく画像の抽出、採用した画像の合成などの制御を行う。
【００２０】
ＤＲＡＭ１２は、ＣＣＤ５によって撮像された後、ＣＰＵ１１に送られてきた画像データを一時記憶するバッファメモリとして使用されるとともに、ＣＰＵ１１のワーキングメモリとして使用される。メモリ１３は、ＣＰＵ１１によるデジタルカメラ１の各部の制御に必要なプログラム、及び各部の制御に必要なデータが記録されており、ＣＰＵ１１は、このプログラムに従って処理を行う。フラッシュメモリ１４や、メモリ・カード１８は、ＣＣＤ５によって撮像されたプリショット画像や本画像、合成した本画像などを保存しておく記録媒体である。
【００２１】
画像表示部１５は、カラーＬＣＤとその駆動回路を含み、撮像待機状態にあるときには、ＣＣＤ５によって撮像された被写体をライブビュー画像として表示し、記録画像の再生時には、フラッシュメモリ１４や、メモリ・カード１８から読み出され、伸張された記録画像を表示する。キー入力部１６は、シャッターＳＷ、ズームＳＷ、モードキー、ＳＥＴキー、十字キー等の複数の操作キーを含み、ユーザのキー操作に応じた操作信号をＣＰＵ１１に出力する。カードＩ／Ｆ１７には、デジタルカメラ１本体の図示しないカードスロットを介してメモリ・カード１８が着脱自在に装着されている。ジャイロセンサ１９は、プリショット撮影時、及び本撮影時のデジタルカメラ１の向き（撮影方向）を検出する。なお、ジャイロセンサ１９に代えて、３軸加速度センサなどでもよい。ＣＰＵ１１は、ジャイロセンサ１９の検出出力から、プリショット撮影や本画像撮影時における撮影方向を検出する。
【００２２】
Ｂ．実施形態の動作
次に、上述した実施形態の動作について説明する。
図２及び図３は、本実施形態によるデジタルカメラ１の動作を説明するためのフローチャートである。また、図４（ａ）〜（ｃ）は、本実施形態によるデジタルカメラ１の動作（マーキング動作）を説明するための概念図である。また、図５は、本実施形態によるデジタルカメラ１の動作（連写動作）を説明するための概念図である。また、図６は、本実施形態によるデジタルカメラ１の動作（抽出動作）を説明するための概念図である。また、図７（ａ）、（ｂ）は、本実施形態によるデジタルカメラ１の動作（合成＆トリミング動作）を説明するための概念図である。
【００２３】
まず、電源が投入され、撮影モードになると、図４（ａ）に示すように、ＣＣＤ５から取り込んだ画像をそのまま画像表示部１５にリアルタイムに表示するライブビュー表示を開始する（ステップＳ１０）。そして、ライブビュー表示においてシャッターが半押しされたか否かを判断する（ステップＳ１２）。シャッターが半押しされない場合には（ステップＳ１２のＮＯ）、ステップＳ１２を繰り返し、ライブビュー表示を継続する。一方、シャッターが半押しされた場合には（ステップＳ１２のＹＥＳ）、ズーム倍率は所定以上であるか否かを判断する（ステップＳ１４）。そして、ズーム倍率が所定上でない場合には（ステップＳ１４のＮＯ）、手振れによる影響は少ないので通常の撮影処理へ進む（ステップＳ１８）。
【００２４】
また、図４（ｂ）に示すように、ズーム倍率が所定以上である場合には（ステップＳ１４のＹＥＳ）、被写体方向指定モードであるか否かを判断する（ステップＳ１６）。被写体方向指定モードとは、撮影画角における被写体の位置（被写体と背景との位置関係：構図）を指定するモードである。そして、被写体方向指定モードでない場合には（ステップＳ１６のＮＯ）、通常の撮影処理へ進む（ステップＳ１８）。
【００２５】
一方、被写体方向指定モードである場合には（ステップＳ１６のＹＥＳ）、プリショット（低解像度）撮影を実行し（ステップＳ２０）、該プリショット撮影時のジャイロセンサ１９の出力から、撮影方向（カメラの向き）を検出して記憶する（ステップＳ２２）。この検出する撮影方向（カメラの向き）は、絶対的な方位であってもよいが、相対的な方向であってもよい。つまり、プリショット撮影時の撮影方向とその後に行われる本撮影時の撮影方向との角度差がわかればよいので、プリショット撮影時の撮影方向を基準とし（角度０°として記憶し）、その後、ジャイロセンサ１９や３軸加速度センサに基づいて、この基準からのずれ角度を常に把握しておくようにしてもよい。次に、図４（ｃ）に示すように、ライブビュー表示を停止し、画像表示部１５にプリショット画像を表示する（ステップＳ２４）。
【００２６】
ユーザは、画像表示部１５に表示されたプリショット画像を確認し、主要な被写体をタッチする。主要な被写体とは、撮影するユーザにとって重要な、あるいは注目している人物、あるいは建物や風景などを指す。例えば、図４（ｃ）に示すように、ユーザは、主要な被写体として、プリショット画像から人物を指定する（マーカＭ：黒丸）。このとき、主要な被写体は、プロショット画像（画角）の中央に位置する必要はなく、画角内に収まっていればよい。
【００２７】
デジタルカメラ１では、プリショット画像上で位置指定操作があったか否かを判断する（ステップＳ２６）。そして、位置指定操作がない場合には（ステップＳ２６のＮＯ）、ステップＳ１０に戻り、ライブビュー表示を継続する。すなわち、ユーザは、所望の被写体がプリショット画像内に捉えられるまで、プリショット画像を撮り直すことができる。
【００２８】
一方、位置指定操作があった場合には（ステップＳ２６のＹＥＳ）、プリショット画像の中心Ｃ（図４（ａ）〜（ｃ）の二重丸）から指定位置したマーカＭまでのずれ量を現在のズーム倍率に基づいて方向のずれ量（ずれ角度など）に変換する（ステップＳ２８）。
【００２９】
次に、ステップＳ２２で、記憶していたプリショット撮影時の撮影方向に対して、変換されたずれ量を加えて被写体方向を特定し（ステップＳ３０）、ライブビュー表示を再開する（ステップＳ３２）。次に、シャッターが全押しされたか否かを判断し（ステップＳ３４）、シャッターが全押しされるまでライブビュー表示を継続する（ステップＳ３４のＮＯ）。一方、シャッターが全押しされると（ステップＳ３４のＹＥＳ）、ＣＣＤ５から高解像度（設定された解像度）で撮像画像を取り込む本撮影を実行する（ステップＳ３６）。
【００３０】
ＣＰＵ１１は、本撮影時の撮影方向（カメラの向き）を、ジャイロセンサ１９の出力から検出し（ステップＳ３８）、検出された撮影方向と被写体方向（マーカＭ）とのずれ量が所定以内であるか否かを判断する（ステップＳ４０）。この本撮影時の撮影方向（カメラの向き）の検出は、上述したように絶対的な方位であってもよいが、相対的な方向であってもよい。つまり、プリショット撮影時の撮影方向を基準とする場合（角度０°として記憶した場合）、その後のジャイロセンサ１９や３軸加速度センサの検出情報に基づいて継続的に積算されている基準からのずれ量（ずれ角度）を本撮影時の撮影方向としてもよい。そして、検出された撮影方向と被写体方向（マーカＭ）とのずれ量が所定以内である場合には（ステップＳ４０のＹＥＳ）、本撮影で得られた画像を本画像として採用する（ステップＳ４２）。
【００３１】
次に、採用された本画像が２枚目以降である否かを判断し（ステップＳ４４）、２枚目以降でない場合には（ステップＳ４４のＮＯ）、シャッターの全押しが解除（リリース）されたか否かを判断する（ステップＳ５０）。そして、シャッターの全押しが解除されていない場合、すなわちシャッターの全押しが継続している場合には（ステップＳ５０のＮＯ）、ステップＳ３６に戻り、次の本撮影を実行する。
【００３２】
一方、検出された撮影方向と被写体方向（マーカＭ）とのずれ量が所定以内でない場合、すなわち撮影方向と被写体方向（マーカＭ）とのずれ量が大きくずれていた場合には（ステップＳ４０のＮＯ）、本撮影で得られた画像を破棄し（ステップＳ４８）、シャッターの全押しが解除（リリース）されたか否かを葉判断する（ステップＳ５０）。そして、シャッターの全押しが解除されていない場合、すなわちシャッターの全押しが継続している場合には（ステップＳ５０のＮＯ）、ステップＳ３６に戻り、次の本撮影を実行する。
【００３３】
また、採用された本画像が２枚目以降である場合には（ステップＳ４４のＹＥＳ）、採用済みの他の本画像と位置を合わせて合成する（ステップＳ４６）。この位置合わせにおけるずらし量は、各本画像の撮影時の基準からのずれ量（ずれ角度）の差を、ステップＳ２８で行ったのとは逆の処理を行うことにより算出する。次に、シャッターの全押しが解除（リリース）されたか否かを判断する（ステップＳ５０）。そして、シャッターの全押しが解除されていない場合、すなわちシャッターの全押しが継続している場合には（ステップＳ５０のＮＯ）、ステップＳ３６に戻り、次の本撮影を実行する。
【００３４】
上述したように、シャッターが全押しされると、ステップＳ３６〜Ｓ５０の一連の処理により、図５に示すように、例えば、所定の時間間隔で複数毎の画像ＩＭＧ０１〜ＩＭＧ０６が撮影される。そして、撮影方向と被写体方向（マーカＭ）とのずれ量が大きくずれていた場合には、その画像は破棄され、ずれ量が所定以内である画像が、本画像として採用される。図示の例では、本画像ＩＭＧ０３、ＩＭＧ０４が破棄され、本画像ＩＭＧ０１、ＩＭ０２、ＩＭＧ０５、ＩＭＧ０６が本画像として採用される。採用された本画像ＩＭＧ０１、ＩＭ０２、ＩＭＧ０５、ＩＭＧ０６を図６に示す。
なお、画像を破棄するか否かを決定するためのずれ量の閾値は、ユーザが任意に設定できるようにしてもよい。また、撮影範囲を超えた値に設定してもよい。
【００３５】
そして、図７（ａ）に示すように、順次、画像の位置合わせを行いながら、採用済みの他の本画像と合成されていくことになる。すなわち、図６に示す採用された本画像ＩＭＧ０１、ＩＭ０２、ＩＭＧ０５、ＩＭＧ０６が撮影画像の位置を合わせて合成される。最後に、指定されたマークＭの位置が画角中心に来るように、所定のサイズでトリミングすることで、図７（ｂ）に示すように、手振れの影響を受けることなく、画角の中心にマークＭが位置するような構図、すなわち主要な被写体が中央に位置するような構図の本画像ＩＭＧが最終的に得られる。なお、本実施形態では、合成した画像をトリミングしてから記録したが、トリミングせずに記録してもよい。また、採用された本画像を合成して最終的に１つの本画像ＩＭＧを作成したが、これに限らず、採用された本画像をそれぞれ記録するだけでもよい。
【００３６】
上述した実施形態によれば、手振れにより被写体を撮影画角の中央に捉えるのが難しいような高倍率撮影時などであっても、プリショット撮影によって少なくとも撮影画角の端の方にでも所望の被写体が捉えられていれば、再生されたプリショット画像上でゆっくり正確に被写体位置を指定し、この正確な被写体方向を利用した撮影処理が可能となる。
【００３７】
なお、上述した実施形態においては、デジタルカメラ１を例に説明したが、これに限らず、撮像機能を有する電子機器であれば、携帯電話、スマートフォン、タブレット端末などでも適用可能である。
【００３８】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００３９】
（付記１）
付記１に記載の発明は、撮像手段と、
前記撮像手段による撮影方向を検出する方向検出手段と、プリショット撮影の指示操作に応じて前記撮像手段によりプリショット画像を撮影するとともに、このプリショット画像を撮影したときに前記方向検出手段により検出される撮影方向を記憶するプリショット撮影手段と、前記プリショット撮影手段により撮影されたプリショット画像を表示し、この表示したプリショット画像上で撮影すべき被写体を指定する被写体指定手段と、前記被写体指定手段により指定された撮影すべき被写体の位置と、前記プリショット撮影手段により記憶された前記プリショット画像を撮影したときの撮影方向とに基づいて、前記撮影すべき被写体がある被写体方向を特定する被写体方向特定手段と、前記被写体方向特定手段により特定された前記撮影すべき被写体がある被写体方向と、前記撮像手段により本画像を撮影するときに前記方向検出手段により検出される撮影方向とに基づいて、この本画像の撮影を制御する撮影制御手段とを備えることを特徴とする撮像装置である。
【００４０】
（付記２）
付記２に記載の発明は、前記被写体方向特定手段は、前記被写体指定手段により撮影すべき被写体の位置が指定されると、前記プリショット画像の中心から指定された撮影すべき被写体までのズレ量と、前記プリショット画像を撮影したときの撮影方向とに基づいて、前記撮影すべき被写体がある被写体方向を特定することを特徴とする付記１に記載の撮像装置である。
【００４１】
（付記３）
付記３に記載の発明は、前記プリショット撮影手段は、前記撮影すべき被写体が前記プリショット画像内に捉えられるまで、前記プリショット画像の撮り直しを可能にしたことを特徴とする付記１に記載の撮像装置である。
【００４２】
（付記４）
付記４に記載の発明は、前記被写体方向特定手段は、前記撮像手段により撮影されたプリショット画像上で撮影すべき被写体が指定されると、前記プリショット画像の中心から前記指定された撮影すべき被写体までのズレ量を、前記撮像手段によりプリショット画像を撮影したときのズーム倍率に基づいて、撮影方向のずれ量に変換し、前記撮像手段によりプリショット画像を撮影したときの撮影方向と前記撮影方向のずれ量とに基づいて、前記撮影すべき被写体がある被写体方向を特定することを特徴とする付記１乃至３のいずれかに記載の撮像装置である。
【００４３】
（付記５）
付記５に記載の発明は、前記撮影制御手段は、前記被写体方向特定手段により特定された前記撮影すべき被写体がある被写体方向と、前記方向検出手段により検出される撮影方向とに基づいて、前記撮像手段により連写撮影された複数の本画像に対する撮影処理を制御することを特徴とする付記１乃至４のいずれかに記載の撮像装置である。
【００４４】
（付記６）
付記６に記載の発明は、前記撮影制御手段は、前記被写体方向特定手段により特定された前記撮影すべき被写体がある被写体方向と、前記方向検出手段により検出された、前記撮像手段により本画像を撮影したときの撮影方向とのずれ量が所定範囲内にあるか否かに基づいて、前記撮像手段により連写撮影された複数の本画像を利用するか否かを決定することを特徴とする付記１乃至４のいずれかに記載の撮像装置である。
【００４５】
（付記７）
付記７に記載の発明は、前記撮影制御手段は、前記被写体方向特定手段により特定された前記撮影すべき被写体がある被写体方向と、前記方向検出手段により検出された、前記撮像手段により本画像を撮影したときの撮影方向とのずれ量が所定範囲内にあるか否かに基づいて、前記撮像手段により連写撮影された複数の本画像を記録するか否かを決定することを特徴とする付記１乃至４のいずれかに記載の撮像装置である。
【００４６】
（付記８）
付記８に記載の発明は、前記撮影制御手段は、前記被写体方向特定手段により特定された前記撮影すべき被写体がある被写体方向と、前記方向検出手段により検出された、前記撮像手段により本画像を撮影したときの撮影方向とのずれ量が所定範囲内にあるか否かに基づいて、前記撮像手段により連写撮影された複数の本画像を合成に用いるか否かを決定することを特徴とする付記１乃至４のいずれかに記載の撮像装置である。
【００４７】
（付記９）
付記９に記載の発明は、撮像部による撮影方向を検出するステップと、プリショット撮影の指示操作に応じて前記撮像部によりプリショット画像を撮影するステップと、前記プリショット画像を撮影したときの撮影方向を記憶するステップと、前記撮影されたプリショット画像を表示し、この表示したプリショット画像上で撮影すべき被写体を指定するステップと、前記プリショット画像上における前記指定された撮影すべき被写体の位置と、前記記憶された前記プリショット画像を撮影したときの撮影方向とに基づいて、前記撮影すべき被写体がある被写体方向を特定するステップと、前記特定された前記撮影すべき被写体がある被写体方向と、前記撮像部により本画像を撮影するときの撮影方向とに基づいて、この本画像の撮影を制御するステップとを含むことを特徴とする撮像方法である。
【００４８】
（付記１０）
付記１０に記載の発明は、撮像部を備える撮像装置のコンピュータに、前記撮像部による撮影方向を検出する方向検出機能、プリショット撮影の指示操作に応じて前記撮像部によりプリショット画像を撮影するとともに、このプリショット画像を撮影したときに前記方向検出機能により検出される撮影方向を記憶するプリショット撮影機能、前記プリショット撮影機能により撮影されたプリショット画像を表示し、この表示したプリショット画像上で撮影すべき被写体を指定する被写体指定機能、前記被写体指定機能により指定された撮影すべき被写体の位置と、前記プリショット撮影機能により記憶された前記プリショット画像を撮影したときの撮影方向とに基づいて、前記撮影すべき被写体がある被写体方向を特定する被写体方向特定機能、前記被写体方向特定機能により特定された前記撮影すべき被写体がある被写体方向と、前記撮像部により本画像を撮影するときに前記方向検出機能により検出される撮影方向とに基づいて、この本画像の撮影を制御する撮影制御機能を実行させることを特徴とするプログラムである。
【符号の説明】
【００４９】
１  デジタルカメラ
２  撮像レンズ
３  レンズ駆動部
４  絞り兼用シャッター
５  ＣＣＤ
６  ＴＧ
７  ユニット回路
８  画像処理部
１１  ＣＰＵ
１２  ＤＲＡＭ
１３  メモリ
１４  フラッシュメモリ
１５  画像表示部
１６  キー入力部
１７  カードＩ／Ｆ
１８  メモリ・カード
１９  ジャイロセンサ
【図１】
0005962974.tif 000002
【図２】
0005962974.tif 000003
【図３】
0005962974.tif 000004
【図４】
0005962974.tif 000005
【図５】
0005962974.tif 000006
【図６】
0005962974.tif 000007
【図７】
0005962974.tif 000008